(57)【要約】【課題】光学部材の破損等の事故を防止しつつ、撮像素子のクリーニングを実行することができる撮像装置を提供する。【解決手段】レンズ１の着脱が可能な撮像装置において、カメラマウント３と撮像素子５の間に配置された光学部材（固定式主ミラー２２）と、光学部材の着脱を検出する着脱検出手段（主ミラー着脱検出回路２５）とを備える。また、着脱検出手段により光学部材の取り外しを検出した場合は、シャッター４を開放状態にするシャッター駆動手段（シャッター駆動回路１６）を備える。【選択図】図２
2009258550.tif 000002
【特許請求の範囲】
【請求項１】
レンズの着脱が可能な撮像装置において、
カメラマウントと撮像素子の間に配置された光学部材と、
前記光学部材の着脱を検出する着脱検出手段と、
前記着脱検出手段により前記光学部材の取り外しを検出した場合は、シャッターを開放状態にするシャッター駆動手段と、
を備えることを特徴とする撮像装置。
【請求項２】
前記シャッター駆動手段により前記シャッターを開放状態にすることで、前記撮像素子のクリーニングを行えるようにするクリーニングモードを設定するモード設定手段と、
前記モード設定手段により前記クリーニングモードが設定されたときに、前記着脱検出手段が前記光学部材の取り外しを検出しない場合は、警告を行う警告手段と、
を備えることを特徴とする請求項１記載の撮像装置。
【請求項３】
前記光学部材は、主ミラーまたは光学フィルタであることを特徴とする請求項１または２記載の撮像装置。
【請求項４】
前記主ミラーの背後に配置されたサブミラーと、
前記着脱検出手段により前記主ミラーの取り外しを検出した場合は、前記サブミラーを退避させるサブミラー駆動手段と、
を備えることを特徴とする請求項３記載の撮像装置。
【発明の詳細な説明】
【技術分野】
【０００１】
本発明は、デジタルカメラ等の撮像装置に係り、特に、レンズ交換可能な撮像装置における撮像素子のクリーニング技術、より具体的には、撮像素子に密着するフィルタや撮像素子カバーガラス等のクリーニング技術に特徴のある撮像装置に関する。
【背景技術】
【０００２】
従来から、撮像素子を用いて光学系から入射する被写体像を撮影し、その結果得られた画像信号を信号処理して画像情報に変換し、その画像情報を記録手段に記録するようにしたデジタルカメラが種々提案されている。ここで、記録手段としては、フラッシュメモリを内蔵したメモリカードやフロッピー（登録商標）ディスクあるいはハードディスクがある。
【０００３】
ところで、一般にデジタルカメラでは、赤外光の画像に対する影響を抑えるために、撮影光学系の一部に赤外カットフィルタが配置される。また、被写体の高周波成分によるモアレ等を抑えるために、撮影光学系の一部にローパスフィルタが配置される。
【０００４】
交換レンズ方式を採用しているデジタルカメラにおいては、赤外カットフィルタやローパスフィルタは、撮像素子とシャッターの間やカメラマウントと固定式主ミラーの間、即ち、カメラマウントと撮像素子の間に配置されている。
【０００５】
交換レンズ方式のデジタルカメラは、レンズ着脱が可能な構造のため、赤外カットフィルタやローパスフィルタ、撮像素子カバーガラス表面への埃等の付着が起こりやすい。撮像素子に付着した埃等は、撮影画像上でもはっきりと確認できるほど映り込んでしまい、せっかくの撮影画像が使えなくなってしまう。
【０００６】
尚、埃等は、具体的には、上述したように、撮像素子に密着するフィルタや撮像素子カバーガラスに付着するが、撮像素子に付着するという表現を用いる場合もある。
【０００７】
このような背景の下に、特許文献１に記載の技術が提案されている。特許文献１に記載の技術によれば、カメラ使用者が長期間、フィルタを頻繁に着脱した場合、もしくはレンズを頻繁に着脱した場合、撮像素子をクリーニングするように警告する。
【０００８】
従って、警告を受けたカメラ使用者が、カメラ動作モードをクリーニングモードに設定、実行させることで、撮像素子に付着したごみや汚れのクリーニングをカメラ使用者が行い、撮影画像への写り込みを防止することができる。
【０００９】
上記クリーニングモードとは、撮像素子とカメラマウント間にある主ミラー等の光学部材及びシャッター等の機構部材を、撮像素子表面がマウント面から視認及びクリーニング可能なように退避させるものである。
【００１０】
上記従来の技術においては、撮像素子をクリーニングするよう警告を出した後、カメラ使用者の手によってクリーニングモードに設定、カメラ使用者の手によってクリーニングモードを実行させた後に撮像素子表面のクリーニングを行う。
【００１１】
赤外カットフィルタまたはローパスフィルタの光学部材が撮像素子直前ではなく、カメラマウントと撮像素子の間の空間に配置されていた場合には、クリーニングモード実行後、撮像素子のクリーニングの前に取り外す必要がある。
【００１２】
また、赤外カットフィルタやローパスフィルタが撮像素子直前にあっても、固定式主ミラー（退避位置と撮影位置間を移動しない、内部で固定の主ミラー）を備えるカメラの場合には、光学部材の１つである固定式主ミラーを取り外す必要がある。
【特許文献１】特開２０００−１２５１５２号公報
【発明の開示】
【発明が解決しようとする課題】
【００１３】
上記従来の技術においては、撮像素子をクリーニングする際に必ず必要となるカメラマウント−撮像素子間の光学部材の取り外しを行わなければならない。従って、光学部材の取り外し作業を忘れ、光学部材の存在に気付かずに撮像素子クリーニング作業を開始すると、最悪の場合、光学素子の破壊（割れ）や傷につながる虞がある。
【００１４】
本発明の目的は、光学部材の破損等の事故を防止しつつ、撮像素子のクリーニングを実行することができる撮像装置を提供することにある。
【課題を解決するための手段】
【００１５】
上記目的を達成するために、請求項１記載の撮像装置は、レンズの着脱が可能な撮像装置において、カメラマウントと撮像素子の間に配置された光学部材と、前記光学部材の着脱を検出する着脱検出手段と、前記着脱検出手段により前記光学部材の取り外しを検出した場合は、シャッターを開放状態にするシャッター駆動手段とを備えることを特徴とする。
【発明の効果】
【００１６】
本発明の撮像装置によれば、光学部材の破損等の事故を防止しつつ、撮像素子のクリーニングを実行することができる。
【発明を実施するための最良の形態】
【００１７】
以下、本発明の実施の形態を図面を参照しながら詳細に説明する。
【００１８】
（第１の実施の形態）
図１は、本発明の第１の実施の形態に係る撮像装置としてのデジタルカメラの概略構成図である。
【００１９】
図１において、デジタルカメラは、交換可能なレンズ（撮影レンズ）１、デジタルカメラ本体２を備える。
【００２０】
デジタルカメラ本体２は、レンズ１とデジタルカメラ本体２を結合するカメラマウント３、シャッター４、被写体像を受け、その被写体像の画像を光電変換するための、例えばＣＭＯＳイメージセンサ等で構成される撮像素子５を備える。
【００２１】
デジタルカメラ本体２に備えられる半透過ミラーによって構成される固定式主ミラー２２は、通常はレンズ１を通過してきた光をファインダ光学系と撮像素子５へ導く。固定式主ミラー２２は、デジタルカメラ本体２から着脱可能になっている。ここで、固定式とは、デジタルカメラ本体２の内部では固定されているという意味である。
【００２２】
固定式主ミラー２２の背後に備えられるサブミラー２３は、固定式主ミラー２２を透過してきた光束を焦点検出手段であるＡＦ装置２４に光束を導くために配置されている。サブミラー２３は、撮影時はサブミラー駆動手段であるサブミラー駆動回路１５（図２）により撮影光路外の位置に移動される。２３‘は撮影光路外に退避したサブミラー２３の位置を示している。
【００２３】
デジタルカメラ本体２に備えられるピント板６、ペンタプリズム９、アイピースレンズ１０は、ファインダ光学系の一部である。デジタルカメラ本体２に備えられる光学フィルタ８は、ローパスフィルタ及び赤外カットフィルタを貼り合わせてある。赤外カットフィルタは、赤外光の画像に対する影響を抑えるために配置される。また、ローパスフィルタは、被写体の高周波成分によるモワレ等を抑えるために配置される。
【００２４】
撮像素子５と光学フィルタ８は密着されており、光学フィルタ８と撮像素子５の間にごみ・埃等の異物が入り込むことはない。
【００２５】
ここで、操作部１７（図２）によりクリーニングモードを作動させると、サブミラー２３は撮影時と同じくミラーダウンし、シャッター４は開放状態となる。レンズ１が装着されていなくて、かつ固定式の固定式主ミラー２２が取り外されていれば、カメラマウント３から撮像素子５を直視できる状態となる。撮影者（カメラ使用者）はクリーニングモードを作動させることにより、撮像素子５のクリーニングを行うことができる。
【００２６】
図２は、図１のデジタルカメラのブロック図である。
【００２７】
図２において、デジタルカメラは、レンズ１、メカスイッチにより構成され、レンズ１の着脱を検出する着脱検出手段であるレンズ着脱検出回路１３を備える。
【００２８】
また、デジタルカメラは、固定式主ミラー２２、メカスイッチにより構成され、固定式主ミラー２２のデジタルカメラ本体２への取り付け状態を検出する着脱検出手段である主ミラー着脱検出回路２５を備える。
【００２９】
また、デジタルカメラは、サブミラー２３、サブミラー駆動手段であるサブミラー駆動回路１５を備える。
【００３０】
また、デジタルカメラは、シャッター４、シャッター４を開閉駆動させるためのシャッター駆動手段であるシャッター駆動回路１６を備える。
【００３１】
また、デジタルカメラは、撮像素子５、撮像素子５の出力信号を所定の映像信号に変換するための信号処理回路１１、映像信号を記録媒体に記録するための記録回路１２を備える。
【００３２】
また、デジタルカメラは、信号処理回路１１、記録回路１２及びサブミラー駆動回路１５等、デジタルカメラ全体の動作を制御するための制御回路２１を備える。
【００３３】
また、デジタルカメラは、カメラ電源スイッチ、作動モードを切り換える切換スイッチ及びシャッター・レリーズスイッチ等を備えている操作部１７、撮影画像の表示や各種設定項目を表示するための表示部１８を備える。操作部１７は、撮像素子５のクリーニングを行えるようにするクリーニングモードを設定するモード設定手段である。
【００３４】
また、デジタルカメラは、警告用ＬＥＤ１９、警告用ブザー２０、ＡＦ装置２４を備える。
【００３５】
警告用ＬＥＤ１９と警告用ブザー２０はそれぞれ警告手段となる。警告用ＬＥＤ１９は、制御回路２１により警告信号を受けて、点灯あるいは点滅することで撮影者に警告する。警告用ブザー２０は、制御回路２１により警告信号を受けて、ブザー音を出すことで撮影者に警告する。
【００３６】
図３は、図２のテジタルカメラによって実行される固定式主ミラー取り外し時の制御処理の手順を示すフローチャートである。尚、一部カメラ使用者の動作も含む。
【００３７】
本図を用いて、固定式主ミラー２２が取り外された場合のカメラ動作について説明する。
【００３８】
図３において、ステップＳ１０１で、固定式主ミラー２２の装着状態を検出する。装着状態の検出は、主ミラー着脱検出回路２５の情報を元に制御回路２１が判断する。固定式主ミラー２２が装着されていたならば元に戻る。固定式主ミラー２２が取り外されていたと判断されたならば、ステップＳ１０２へ移行する。
【００３９】
ステップＳ１０２では、サブミラー２３のダウン及びシャッター４の開動作を行う。サブミラー２３のダウン動作は、制御回路２１からサブミラー駆動回路１５にミラーダウン駆動指示されることにより実行される。シャッター４の開動作は、制御回路２１からシャッター駆動回路１６にシャッター開動作指示されることにより実行される。
【００４０】
この状態で、撮像素子５表面に密着保持されている光学フィルタ８が直視でき、クリーニング作業を行うことが可能となる。
【００４１】
ステップＳ１０３で、カメラ使用者により撮像素子５に密着保持されている光学フィルタ８表面のクリーニングが行われる。
【００４２】
ステップＳ１０４で、固定式主ミラー２２の装着状態を検出する。装着状態の検出は、主ミラー着脱検出回路２５の情報を元に制御回路２１が判断する。固定式主ミラー２２が装着されていたならば、ステップＳ１０５に移行する。
【００４３】
固定式主ミラー２２が引き続き取り外されていると制御回路２１が判断したならば、光学フィルタ８のクリーニング作業が続行されていると判断し、現状の状態を維持する。
【００４４】
ステップＳ１０５では、サブミラー２３のアップ及びシャッター４の閉動作を行う。サブミラー２３のアップ動作は、制御回路２１からサブミラー駆動回路１５にミラーアップ駆動指示されることにより実行される。シャッター４の閉動作は、制御回路２１からシャッター駆動回路１６にシャッター閉動作指示されることにより実行される。そして、本処理を終了する。
【００４５】
図４は、図２のテジタルカメラによって実行されるモード判別による制御処理の手順を示すフローチャートである。尚、一部カメラ使用者の動作も含む。
【００４６】
本図を用いて、カメラ使用者によりデジタルカメラがクリーニングモードに設定された時のカメラ動作について説明を行う。
【００４７】
図４において、ステップＳ２０１で、カメラ使用者により設定されたカメラ動作モードが何か判別を行う。カメラ動作モードの設定は、操作部１７に含まれている不図示のモード設定ダイヤルにより行われる。動作モードは、操作部１７の操作状況を元に制御回路２１が判別する。
【００４８】
カメラの動作モードが通常撮影モードに設定されていた場合、ステップＳ２０８へ移行する。カメラ動作モードがクリーニングモードに設定されていた場合は、ステップＳ２０２へ移行する。
【００４９】
ステップＳ２０２では、レンズ１の装着状態を検出する。レンズ１の装着状態は、レンズ着脱検出回路１３からの情報を元に制御回路２１が行う。レンズ１が装着されていた場合は、ステップＳ２０９へ移行する。レンズ１が装着されていない場合は、ステップＳ２０３へ移行する。
【００５０】
ステップＳ２０９において、レンズ１の装着状態では撮像素子５のクリーニング作業が行えないため、警告を行う。警告は、制御回路２１から警告用ＬＥＤ１９及び警告用ブザー２０に対してＬＥＤ点滅及びブザー音ＯＮを指示することで行う。警告は、所定時間経過後に終了する。
【００５１】
ステップＳ２０３では、固定式主ミラー２２の装着状態を検出する。装着状態の検出は、主ミラー着脱検出回路２５の情報を元に制御回路２１が判断する。固定式主ミラー２２が取り外されていた場合は、ステップＳ２０５へ移行する。固定式主ミラー２２が装着されていた場合は、ステップＳ２０４へ移行する。
【００５２】
ステップＳ２０４では、固定式主ミラー２２が装着状態の場合、撮像素子５のクリーニング作業が行えないため、警告を行う。警告は、制御回路２１から警告用ＬＥＤ１９及び警告用ブザー２０に対してＬＥＤ点滅及びブザー音ＯＮを指示することで行う。警告は、所定時間経過後終了する。
【００５３】
ステップＳ２０５では、サブミラー２３のダウン及びシャッター４の開動作を行う。サブミラー２３のダウン動作は、制御回路２１からサブミラー駆動回路１５にミラーダウン駆動指示されることにより実行される。シャッター４の開動作は、制御回路２１からシャッター駆動回路１６にシャッター開動作指示されることにより実行される。
【００５４】
この状態で、撮像素子５の表面に密着保持されている光学フィルタ８が直視でき、クリーニング作業を行うことが可能となる。
【００５５】
ステップＳ２０６で、カメラ使用者により撮像素子５に密着保持されている光学フィルタ８表面のクリーニングが行われる。
【００５６】
ステップＳ２０７で、固定式主ミラー２２の装着状態を検出する。装着状態の検出は、主ミラー着脱検出回路２５の情報を元に制御回路２１が判断する。固定式主ミラー２２が装着されていたならば、ステップＳ２０８に移行する。
【００５７】
固定式主ミラー２２が引き続き取り外されていると制御回路２１が判断したならば、光学フィルタ８のクリーニング作業が続行されていると判断し、現状の状態を維持する。
【００５８】
ステップＳ２０８では、サブミラー２３のアップ及びシャッター４の閉動作を行う。サブミラー２３のアップ動作は、制御回路２１からサブミラー駆動回路１５にミラーアップ駆動指示されることにより実行される。シャッター４の閉動作は、制御回路２１からシャッター駆動回路１６にシャッター閉動作指示されることにより実行される。そして、本処理を終了する。
【００５９】
本実施の形態では、カメラマウント３と撮像素子５間に固定式光学部材（光学部材）である固定式主ミラー２２が配置されている場合、その固定式主ミラー２２の着脱を検出する検出手段（主ミラー着脱検出回路２５）を設ける。そして、固定式主ミラー２２が取り外されると、自動的にクリーニングモードを実行するようにしたので、光学部材の破損等の事故を防止することができる。
【００６０】
また、カメラマウント３と撮像素子５間に固定式主ミラー２２が配置されているものにおいて、固定式主ミラー２２の取り外しは、ほとんどの場合が撮像素子５のクリーニングを目的としている。従って、上記の制御を行うことで、カメラ使用者の操作性を改善することができる。
【００６１】
また、固定式主ミラー２２が取り外されていない状態で、クリーニングモードが設定された場合、警告手段によって警告を行うことで、カメラ使用者に対して固定式主ミラー２２の装着を告知し、固定式主ミラー２２の破損の事故を防ぐことが可能となる。
【００６２】
（第２の実施の形態）
図５は、本発明の第２の実施の形態に係る撮像装置としてのデジタルカメラの概略構成図、図６は、図５のデジタルカメラのブロック図である。
【００６３】
図５、図６において、図１、図２と同一箇所には同一符号を付して重複する説明は省略する。
【００６４】
図５において、第２の実施の形態では、図１の第１の実施の形態の固定式主ミラー２２とサブミラー２３に代えて、主ミラー７を備える。７‘は撮影光路外に退避した主ミラー７の位置を示している。
【００６５】
また、撮像素子５に対面してシャッター４が配置され、光学フィルタ８は、シャッター４とカメラマウント３の間に、デジタルカメラ本体２に対して着脱可能に配置されている。また、図１の第１の実施の形態のＡＦ装置２４は外されている。
【００６６】
図６において、主ミラー７を駆動する主ミラー駆動回路１４と、光学フィルタ８が装着されているか否かを検出するフィルタ着脱検出回路２６を備える。
【００６７】
図７は、図６のテジタルカメラによって実行される光学フィルタ取り外し時の制御処理の手順を示すフローチャートである。尚、一部カメラ使用者の動作も含む。
【００６８】
本図を用いて、光学フィルタ８が取り外された場合のカメラ動作について説明する。
【００６９】
図７において、ステップＳ３０１で、光学フィルタ８の装着状態を検出する。装着状態の検出は、フィルタ着脱検出回路２６の情報を元に制御回路２１が判断する。光学フィルタ８が装着されていたならば元に戻る。光学フィルタ８が取り外されていたと判断されたならばステップＳ３０２へ移行する。
【００７０】
ステップＳ３０２では、主ミラー７のアップ及びシャッター４の開動作を行う。主ミラー７のアップ動作は、制御回路２１から主ミラー駆動回路１４にミラーアップ駆動指示されることにより実行される。シャッター４の開動作は、制御回路２１からシャッター駆動回路１６にシャッター開動作指示されることにより実行される。この状態で撮像素子５の表面が直視でき、クリーニング作業を行うことが可能となる。
【００７１】
ステップＳ３０３で、カメラ使用者により、撮像素子５の表面のクリーニングが行われる。
【００７２】
ステップＳ３０４で、光学フィルタ８の装着状態を検出する。装着状態の検出は、フィルタ着脱検出回路２６の情報を元に制御回路２１が判断する。光学フィルタ８が装着されていたならばステップＳ３０５に移行する。光学フィルタ８が引き続き取り外されていると制御回路２１が判断したならば撮像素子５の表面のクリーニング作業が続行されていると判断し、現状の状態を維持する。
【００７３】
ステップＳ３０５では、主ミラー７のダウン及びシャッター４の閉動作を行う。主ミラー７のダウン動作は、制御回路２１から主ミラー駆動回路１４にミラーダウン駆動指示されることにより実行される。シャッター４の閉動作は、制御回路２１からシャッター駆動回路１６にシャッター閉動作指示されることにより実行される。そして、本処理を終了する。
【００７４】
図８は、図６のテジタルカメラによって実行されるモード判別による制御処理の手順を示すフローチャートである。尚、一部カメラ使用者の動作も含む。
【００７５】
本図を用いてカメラ使用者によりデジタルカメラがクリーニングモードに設定された時のカメラ動作について説明を行う。
【００７６】
図８において、ステップＳ４０１で、カメラ使用者により設定されたカメラ動作モードが何か判別を行う。カメラ動作モードの設定は、操作部１７に含まれている不図示のモード設定ダイヤルにより行われる。
【００７７】
動作モードは、操作部１７の操作状況を元に制御回路２１が判別する。カメラの動作モードが通常撮影モードに設定されていた場合、ステップＳ４０８へ移行する。カメラ動作モードがクリーニングモードに設定されていた場合はステップＳ４０２へ移行する。
【００７８】
ステップＳ４０２では、レンズ１の装着状態を検出する。レンズ１の装着状態は、レンズ着脱検出回路１３からの情報を元に制御回路２１が行う。レンズ１が装着されていた場合は、ステップＳ４０９へ移行する。レンズ１が装着されていない場合は、ステップＳ４０３へ移行する。
【００７９】
ステップＳ４０９において、レンズ１の装着状態では撮像素子のクリーニング作業が行えないため、警告を行う。警告は、制御回路２１から警告用ＬＥＤ１９及び警告用ブザー２０に対してＬＥＤ点滅及びブザー音ＯＮを指示することで行う。警告は、所定時間経過後終了する。
【００８０】
ステップＳ４０３では、光学フィルタ８の装着状態を検出する。装着状態の検出は、フィルタ着脱検出回路２６の情報を元に制御回路２１が判断する。光学フィルタ８が取り外されていた場合は、ステップＳ４０５へ移行する。光学フィルタ８が装着されていた場合は、ステップＳ４０４へ移行する。
【００８１】
ステップＳ４０４では、光学フィルタ８が装着状態の場合、撮像素子５のクリーニング作業が行えないため警告を行う。警告は、制御回路２１から警告用ＬＥＤ１９及び警告用ブザー２０に対してＬＥＤ点滅及びブザー音ＯＮを指示することで行う。警告は、所定時間経過後終了する。
【００８２】
ステップＳ４０５では、主ミラー７のアップ及びシャッター４の開動作を行う。主ミラー７のアップ動作は、制御回路２１から主ミラー駆動回路１４にミラーアップ駆動指示されることにより実行される。シャッター４の開動作は、制御回路２１からシャッター駆動回路１６にシャッター開動作指示されることにより実行される。この状態で撮像素子５の表面が直視でき、クリーニング作業を行うことが可能となる。
【００８３】
ステップＳ４０６で、カメラ使用者により撮像素子の５表面のクリーニングが行われる。
【００８４】
ステップＳ４０７で、光学フィルタ８の装着状態を検出する。装着状態の検出は、フィルタ着脱検出回路２６の情報を元に制御回路２１が判断する。
【００８５】
光学フィルタ８が装着されていたならばステップＳ４０８に移行する。光学フィルタ８が引き続き取り外されていると制御回路２１が判断したならば光学フィルタ８のクリーニング作業が続行されていると判断し、現状の状態を維持する。
【００８６】
ステップＳ４０８では、主ミラー７のダウン及びシャッター４の閉動作を行う。主ミラー７のダウン動作は、制御回路２１から主ミラー駆動回路１４にミラーダウン駆動指示されることにより実行される。シャッター４の閉動作は、制御回路２１からシャッター駆動回路１６にシャッター閉動作指示されることにより実行される。そして、本処理を終了する。
【００８７】
本実施の形態では、カメラマウント３と撮像素子５間に固定式光学部材（光学部材）である光学フィルタ８が配置されている場合、その光学フィルタ８の着脱を検出する検出手段（フィルタ着脱検出回路２６）を設ける。そして、光学フィルタ８が取り外されると、自動的にクリーニングモードを実行するようにしたので、光学部材の破損等の事故を防止できる。
【００８８】
また、カメラマウント３と撮像素子５間に光学フィルタ８が配置されているものにおいて、光学フィルタ８の取り外しは、ほとんどの場合が撮像素子５のクリーニングを目的としている。従って、上記の処理を実行することで、カメラ使用者の操作性を改善することができる。
【００８９】
また、光学フィルタ８が取り外されていない状態でクリーニングモードが設定された場合、警告手段で警告を行うので、カメラ使用者に対して光学フィルタ８の装着を告知し、光学フィルタ８の破損の事故を防ぐことが可能となる。
【図面の簡単な説明】
【００９０】
【図１】本発明の第１の実施の形態に係る撮像装置としてのデジタルカメラの概略構成図である。
【図２】図１のデジタルカメラのブロック図である。
【図３】図２のテジタルカメラによって実行される固定式主ミラー取り外し時の制御処理の手順を示すフローチャートである。
【図４】図２のテジタルカメラによって実行されるモード判別による制御処理の手順を示すフローチャートである。
【図５】本発明の第２の実施の形態に係る撮像装置としてのデジタルカメラの概略構成図である。
【図６】図５のデジタルカメラのブロック図である。
【図７】図６のテジタルカメラによって実行される光学フィルタ取り外し時の制御処理の手順を示すフローチャートである。
【図８】図６のテジタルカメラによって実行されるモード判別による制御処理の手順を示すフローチャートである。
【符号の説明】
【００９１】
１  レンズ
２  デジタルカメラ本体
３  カメラマウント
４  シャッター
５  撮像素子
８  光学フィルタ
１３  レンズ着脱検出回路
１５  サブミラー駆動回路
１６  シャッター駆動回路
１７  操作部
１８  表示部
１９  警告用ＬＥＤ
２０  警告用ブザー
２１  制御回路
２２  固定式主ミラー
２３  サブミラー
２５  主ミラー着脱検出回路
【図１】
2009258550.tif 000003
【図２】
2009258550.tif 000004
【図３】
2009258550.tif 000005
【図４】
2009258550.tif 000006
【図５】
2009258550.tif 000007
【図６】
2009258550.tif 000008
【図７】
2009258550.tif 000009
【図８】
2009258550.tif 000010